(57)【特許請求の範囲】
【請求項１】
ＡＣコードが挿抜可能な電源アダプタと、前記電源アダプタと電気機器とを接続する電源アダプタコードとを収納する電源アダプタ収納部を有する電気機器用電源アダプタ収納体であって、前記電源アダプタは、前記ACコードの一端に備えられたACコードコネクタと接続するACコード連結部を有し、前記電源アダプタ収納部は前記電源アダプタを収納した際に前記ACコード連結部を外部に臨ませるためのＡＣコードコネクタ用開口部を有するとともに、前記ACコード連結部に接続された前記ＡＣコードコネクタの一部が前記ＡＣコードコネクタ用開口部から前記電源アダプタ収納部の外部に突出するように前記電源アダプタが前記電源アダプタ収納部に位置決めされて収納されることを特徴とする電気機器用電源アダプタ収納体。
【請求項２】
電気機器の底面に着脱可能に形成されたはめ合い部を有し、上面が開口していることを特徴とする請求項１記載の電気機器用電源アダプタ収納体。
【請求項３】
前記電源アダプタに設けられた電源アダプタコードを外部に通過させ保持するための電源アダプタコード保持部を有することを特徴とする請求項１または２記載の電気機器用電源アダプタ収納体。
【請求項４】
前記電気機器がサーマルプリンタであることを特徴とする請求項１、２または３記載の電気機器用電源アダプタ収納体。
【発明の詳細な説明】
【０００１】
【発明の属する技術分野】
本発明は、ＡＣ電源と電気機器とを接続する電源アダプタを収納する電気機器用電源アダプタ収納体に関する。
【０００２】
【従来の技術】
上記のようなＡＣ電源と電気機器とを接続する電源アダプタは、定められた収納部が無かった。
【０００３】
図５を用いて、上記のようなＡＣ電源と電気機器とを接続する電源アダプタの従来の一実施例について説明する。電気機器である本体１には電源アダプタプラグ受け部１１が設けられている。本体１にＡＣ電源からの電力を変換して供給するための電源アダプタ９は、ＡＣ接続プラグ１２ａ、ＡＣコード１２、ＡＣプラグ１２ｂを介してＡＣ電源に接続し、電源アダプタプラグ１０ａを本体１の電源アダプタプラグ受け部１１に接続することにより、本体１にＡＣ電源からの電力を変換して供給するように構成されている。
【０００４】
【発明が解決しようとする課題】
上述したように、従来例においてはＡＣ電源と電気機器とを接続する電源アダプタは、定められた収納部が無かったためＡＣコード、電源アダプタ、および電源アダプタコードが乱れて美観を損なうだけでなく、各種作業の妨げになり煩わしかった。
【０００５】
本発明の目的は、ＡＣ電源と電気機器とを接続するＡＣコード、電源アダプタ、および電源アダプタコードが乱れて邪魔になることがないように整理することができる手段を得ることにある。
【０００６】
【課題を解決するための手段】
上記目的を達成するために、本発明においては、ＡＣコードが挿抜可能な電源アダプタと、前記電源アダプタと電気機器とを接続する電源アダプタコードとを収納する電源アダプタ収納部を有する電気機器用電源アダプタ収納体であって、前記電源アダプタは、前記ACコードの一端に備えられたACコードコネクタと接続するACコード連結部を有し、前記電源アダプタ収納部は前記電源アダプタを収納した際に前記ACコード連結部を外部に臨ませるためのＡＣコードコネクタ用開口部を有するとともに、前記ACコード連結部に接続された前記ＡＣコードコネクタの一部が前記ＡＣコードコネクタ用開口部から前記電源アダプタ収納部の外部に突出するように前記電源アダプタが前記電源アダプタ収納部に位置決めされて収納されることを特徴とするものである。
【０００７】
また、電気機器の底面に着脱可能に形成されたはめ合い部を有し、上面が開口していることを特徴とするものである。

【０００８】
また、前記電源アダプタに設けられた電源アダプタコードを外部に通過させ保持するための電源アダプタコード保持部を有することを特徴とするものである。
【０００９】
また、前記電気機器がサーマルプリンタであることを特徴とするものである。
【発明の実施の形態】
以下、本発明の実施の形態を一実施例に基づき図面を参照して説明する。
図１は、本発明に係る一実施例のプリンタを斜め上方から見た状態を示す斜視図である。図２は、図１から蓋体２を開いた状態を示す斜視図である。図３は、図１におけるＡ−Ａ線断面の状態を示す断面図である。図４は、図１に示す本体１と、ＡＣコードを取り付けた電源アダプタ収納体とを分離した状態を示す説明図である。
【００１０】
図１において、本発明の一実施例の外観について説明する。電気機器の一種のプリンタである本体１の上面には蓋体２が開閉自在に取り付けられており、下面は電源アダプタ収納体８がはめあわされて重ねられている。本体１の前面には、蓋体２が閉じた状態に錠止されている状態を解除して蓋体２を開くための蓋体解除キー４が設けられている。また、図示せぬプリントした用紙を排出するための用紙排出口３が本体１と蓋体２との間に形成されている。
【００１１】
図２、および図３において、本発明の一実施例の構造の概要について説明する。本体１には、図示せぬ用紙を収容するための用紙収容部５、およびプリントされた用紙を後述するプリントヘッド１９に圧接すると共に、プリントされた用紙を後述する用紙排出口３の方向に搬送するためのプラテンローラ６が設けられている。
【００１２】
蓋体２は、本体１に開閉自在に取り付けられており、蓋体２には用紙にプリントするためのプリントヘッド７が取り付けられている。プリントヘッド７は、リード線により、本体１に設けられており図示せぬ制御回路ユニットに接続されている。また、本体１と蓋体２との間には、プリントされた用紙を排出するための用紙排出口３が形成されている。
【００１３】
本体１の下面には電源アダプタ収納体８が組み合わされ、電源アダプタ収納体８の内部には電源アダプタ９が収納されている。電源アダプタ９と本体１とは電源アダプタコード１０によって接続されている。
【００１４】
図４において、電源アダプタ収納体８、および周辺の構成について更に説明する。電気機器の一種のプリンタである本体１には電源アダプタプラグ受け部１１が設けられている。本体１にＡＣ電源からの電力を変換して供給するための電源アダプタ９は、電源アダプタ収納体８の内部に収納され取り付けられている。電源アダプタ９にはＡＣコード連結部９ａが設けられていると共に、電源アダプタコード１０が取り付けられている。電源アダプタ収納体８の上端には本体１とはめ合うためのはめあい部８ａが形成されており、後部にはＡＣコード連結部９ａに対応する位置にＡＣコードコネクタ用開口部８ｂが形成され、更に、電源アダプタコード１０を通過させ保持するための電源アダプタコード保持部８ｃが形成されている。電源アダプタコード保持部８ｃは電源アダプタコード１０の外形よりもわずかに小さく形成されている。
【００１５】
余裕を持って長く形成されている電源アダプタコード１０は、電源アダプタプラグ１０ａが取り付けられている先端部を、電源アダプタコード保持部８ｃを通過して外に出した状態で電源アダプタ収納体８の内部に収納されている。電源アダプタコード１０は、自身の弾力性により電源アダプタコード保持部８ｃに保持されており、電源アダプタコード１０は取り付けられた時の保持状態から動くことはない。従って、電源アダプタコード１０は、電源アダプタプラグ１０ａが取り付けられている先端部を外に出す量を自由に設定することができる。
【００１６】
上述したようにして電源アダプタ９を取り付けた電源アダプタ収納体８を本体１に取り付ける場合は、図１に示すように電源アダプタ収納体８の上端に形成されているはめあい部８ａに本体１の底面をはめ合わせる。続いて、電源アダプタコード１０の外に出す量を設定し、先端の電源アダプタプラグ１０ａを本体１に設けられている電源アダプタプラグ受け部１１に接続する。また、一端にＡＣコードコネクタ１２ａが取り付けられ、他端にＡＣプラグ１２ｂが取り付けられているＡＣコード１２を電源アダプタ収納体８に取り付ける。その場合、ＡＣコードコネクタ１２ａをＡＣコードコネクタ用開口部８ｂを通してＡＣコード連結部９ａに接続し、ＡＣプラグ１２ｂをＡＣ電源に連結する。従って、電源アダプタ９、および電源アダプタコード１０は定められた収納部にしっかりと収納されているので、ＡＣコード１２を含め乱れることがなく整頓されるので扱いやすい。
【発明の効果】
本発明は、以上説明したように、ＡＣ電源と電気機器とを接続する電源アダプタを収納する電源アダプタ収納部と、該電気機器の一部に着脱可能に形成されたはめ合い部とを設けたことにより、ＡＣ電源と電気機器とを接続するＡＣコード、電源アダプタ、および電源アダプタコードが乱れて邪魔になることがないように整理することができる。
【図面の簡単な説明】
【図１】本発明に係る一実施例の電源アダプタ収納体を取り付けた電気機器であるプリンタを斜め上方から見た状態を示す斜視図である。
【図２】図１から蓋体２を開いた状態を示す斜視図である。
【図３】図１におけるＡ−Ａ線断面の状態を示す断面図である。
【図４】図１に示す本体１と、ＡＣコードを取り付けた電源アダプタ収納体とを分離した状態を示す説明図である。
【図５】従来の一実施例における、単体の電源アダプタを取り付けた電気機器であるプリンタを斜め上方から見た状態を示す斜視図である。
【符号の説明】
１  本体
２  蓋体
３  用紙排出口
４  蓋体解除キー
５  用紙収容部
６  プラテンローラ
７  プリントヘッド
８  電源アダプタ収納体
８ａ  はめあい部
８ｂ  ＡＣコードコネクタ用開口部
８ｃ  電源アダプタコード保持部
９  電源アダプタ
９ａ  ＡＣコード連結部
１０  電源アダプタコード
１０ａ  電源アダプタプラグ
１１  電源アダプタプラグ受け部
１２  ＡＣコード
１２ａ  ＡＣコードコネクタ
１２ｂ  ＡＣプラグ
【図１】
0003935291.tif 000002
【図２】
0003935291.tif 000003
【図３】
0003935291.tif 000004
【図４】
0003935291.tif 000005
【図５】
0003935291.tif 000006